(57)【特許請求の範囲】
【請求項１】
複数のコネクタハウジングを合体させて構成される多極コネクタの合体方法において、前記複数のコネクタハウジングの一つにはボルトとボルト収納筒が設けられ、前記複数のコネクタハウジングの他方には枠体が設けられており、前記多極コネクタと結合される相手側多極コネクタに設けられたボルトガイドが前記ボルト収納筒と前記枠体とに挿入嵌合可能に、前記複数のコネクタハウジングの前記ボルト収納筒と前記枠体とが同軸で重なり合うように合体させられることを特徴とする多極コネクタの合体方法。
【請求項２】
複数のコネクタハウジングを合体させて構成される多極コネクタにおいて、前記複数のコネクタハウジングの一つにはボルトとボルト収納筒が設けられ、前記複数のコネクタハウジングの他方には枠体が設けられており、前記多極コネクタと結合される相手側多極コネクタに設けられたボルトガイドが前記ボルト収納筒と前記枠体とに挿入嵌合可能となるように、前記複数のコネクタハウジングの前記ボルト収納筒と前記枠体とが同軸で重なり合うように合体されていることを特徴とする多極コネクタ。
【請求項３】
前記複数のコネクタハウジングの一つと他方には、前記多極コネクタと結合される相手側多極コネクタに設けられたボルトガイドが前記ボルト収納筒と前記枠体とに挿入嵌合される前に、結合せしめる結合手段が設けられていることを特徴とする請求項２記載の多極コネクタ。
【発明の詳細な説明】
【０００１】
【発明の属する技術分野】
本発明は、多極コネクタと多極コネクタに結合される相手側多極コネクタとをボルト−ナット構造で締結して構成されるコネクタのうちの多極コネクタに関し、更に詳しくは、多極コネクタが複数のコネクタハウジングを合体することにより構成された多極コネクタの合体方法および多極コネクタに関するものである。
【０００２】
【従来の技術】
従来より知られている多極コネクタとしては、例えば特開昭６２−１４５６７１号公報に示されているものがある。すなわち、図９を参照するに、この多極コネクタ１０１は、生産性向上のため、複数（例えば３個）のコネクタハウジング１０３Ａ、１０３Ｂ、１０３Ｃを合体させて形成されている。
コネクタハウジング１０３Ａは、中央部にナット１０５が形成されており、上下に他のコネクタハウジング１０３Ｂ、１０３Ｃに対する嵌着口１０７、１０９が設けられている。また、嵌着口１０７、１０９の側壁部分には、可撓性の係止腕１１１が形成されており、コネクタハウジング１０３Ｂ、１０３Ｃの側壁に凹設した係止溝１１３と係合してロックできるようになっている。
【０００３】
また、図１０に示されるように、コネクタハウジング１０３Ａの上部および下部にコネクタハウジング１０３Ｂおよびコネクタハウジング１０３Ｃをスライド挿入して合体させた後、これらコネクタハウジング１０３Ｂ、１０３Ｃの後抜けを防止するために、櫛状のリアホルダ１１５、１１７を側面から挿入するようになっている。これにより、多極コネクタ１０１は合体される。
このようにして合体された多極コネクタ１０１は、多極コネクタに形成されたナット１０５と、図１１に示す相手側多極コネクタ１２３に形成されたボルト１２１とにより嵌合させられてコネクタが形成される。
【０００４】
【発明が解決しようとする課題】
しかしながら、上述したような従来の技術にあっては、各コネクタハウジング１０３Ａ、１０３Ｂ、１０３Ｃにおけるピッチを追う場合に、一般的にはナット１０５を基準とするため、図１２に示されているように、例えばコネクタハウジング１０３Ｂのピッチを追う場合に、コネクタハウジング１０３Ａにおけるナット１０５からコネクタハウジング１０３Ｂの取付け位置までのピッチＡの誤差ａと、コネクタハウジング１０３ＢにおけるピッチＢの誤差ｂとが累積して合計がコネクタハウジング１０３Ｂのピッチ誤差となるため、合体部であるコネクタハウジング１０３Ｂにおける誤差が大きくなるという問題がある。同様に、コネクタハウジング１０３Ａと１０３Ｃとの誤差が累積されて１０３Ｃ部での誤差が大きくなってしまう。
この発明の目的は、以上のような従来の技術の問題点に着目してなされたものであり、複数のコネクタハウジングを合体して形成した多極コネクタの誤差を低減すべく、調芯を容易且つ正確に行なうことのできる多極コネクタの合体方法および多極コネクタを提供することにある。
【０００５】
【課題を解決するための手段】
上記の目的を達成するために、請求項１による発明の多極コネクタの合体方法は、複数のコネクタハウジングを合体させて構成される多極コネクタの合体方法であって、前記複数のコネクタハウジングの一つにはボルトとボルト収納筒が設けられ、前記複数のコネクタハウジングの他方には枠体が設けられており、前記多極コネクタと結合される相手側多極コネクタに設けられたボルトガイドが前記ボルト収納筒と前記枠体とに挿入嵌合可能に、前記複数のコネクタハウジングの前記ボルト収納筒と前記枠体とが同軸で重なり合うように合体させられることを特徴とするものである。
【０００６】
従って、多極コネクタと相手側多極コネクタとをボルトにより締結する際に、多極コネクタを構成する複数のコネクタハウジングの一つに設けられているボルト収納筒に、相手側多極コネクタに設けられてボルトガイドを収納して嵌合させる。このとき、複数のコネクタハウジングの他方のコネクタハウジングに設けられていて合体時にボルト収納筒と同軸となって重なり合う枠体にも同時にボルトガイドを通して、多極コネクタと相手側多極コネクタとを嵌合させて締結するので、多極コネクタと相手側多極コネクタとの嵌合と共に多極コネクタの複数のコネクタハウジングの合体および芯出しを同時に行なうことができる。また、複数のコネクタハウジングの芯出し同様に、相手側多極コネクタハウジングの芯出しもボルトガイド内に形成されたナットを基準として行なわれるので、誤差の累積を防止して、誤差を最小限に押えることができる。
【０００７】
請求項２による発明の多極コネクタは、複数のコネクタハウジングを合体させて構成される多極コネクタであって、前記複数のコネクタハウジングの一つにはボルトとボルト収納筒が設けられ、前記複数のコネクタハウジングの他方には枠体が設けられており、前記多極コネクタと結合される相手側多極コネクタに設けられたボルトガイドが前記ボルト収納筒と前記枠体とに挿入嵌合可能となるように、前記複数のコネクタハウジングの前記ボルト収納筒と前記枠体とが同軸で重なり合うように合体されていることを特徴とするものである。
【０００８】
従って、多極コネクタと相手側多極コネクタとをボルトにより締結する際に、多極コネクタが複数のコネクタハウジングを合体させて形成されており、相手側多極コネクタに設けられたボルトガイドを、複数のコネクタハウジングの一つに設けられたボルト収納筒に収納されるとともに、複数のコネクタハウジングの他方に設けられた枠体はボルト収納筒と同軸となるよう重なり合って調芯させられ、同時にボルトガイドを通して、多極コネクタと相手側多極コネクタとが嵌合させられる結果、複数のコネクタハウジングの合体による誤差の累積を防止して、誤差を最小限に押えることができる。
【０００９】
請求項３による発明の多極コネクタは、請求項２記載の多極コネクタにおいて、複数のコネクタハウジングの一つと他方には、多極コネクタと結合される相手側多極コネクタに設けられたボルトガイドがボルト収納筒と枠体とに挿入嵌合される前に、結合せしめる結合手段が設けられていることを特徴とする
従って、多極コネクタの複数のコネクタハウジングを合体させる際に、複数のコネクタハウジングを結合手段によりに結合させた後、多極コネクタと相手側多極コネクタとを嵌合させてボルトを締結する際に芯出しを同時に行なって合体を完了させる。
【００１０】
【発明の実施の形態】
以下、本発明の実施の形態を図面に基づいて詳細に説明する。図１〜図３には本発明に係る多極コネクタ１が示されている。多極コネクタ１は、一方のコネクタハウジング３と、一方のコネクタハウジング3と合体結合される他方のコネクタハウジング５から構成されている。
図４を併せて参照するに、多極コネクタ１と結合する相手側多極コネクタ７（詳細省略）にはボルトガイド９が形成されており、更にボルトガイド９内にはナット８が形成されている。多極コネクタ１の一方のハウジング３には、ボルト収納筒１１が形成されており、更に、ボルト収納筒１１内の中央部にはボルト１５が配置されており、相手側多極コネクタ７のボルトガイド９のナット８と螺合して嵌合可能となっている。なお、ボルト収納筒１１は、ボルトガイド９の断面形状（ここでは、例えば正方形断面）と略同じ断面形状をしている。
【００１１】
また、一方のコネクタハウジング３のボルト収納筒１１の上下には、多数のキャビティ１７が設けられており、更に、一方のコネクタハウジング３の上面部と下面部には、結合手段である嵌合凹部１９が設けられていて、この嵌合凹部１９の前部（図１において左側部分）中央には、合体時に他方のコネクタハウジング５に係合する係合突起２１が設けられている。
他方のコネクタハウジング５の右側中央部（図１参照）には、合体時に本体側コネクタハウジング３のボルト収納筒１１と同軸で重なり合うように形成された枠体２３が一方のコネクタハウジング３側に突出して設けられており、枠体２３の内面形状はボルトガイド９の外面形状やボルト収納筒１１の内面形状と略同一となっている。また、他方のコネクタハウジング５の上面部と下面分には、一方のコネクタハウジング３に形成された嵌合凹部１９に嵌合する形状の取付けアーム２５が枠体２３と同じ方向に突出して設けられている。この取付けアーム２５には、嵌合凹部１９に設けられている係合突起２１に係合される係合部２７が設けられている。
【００１２】
上記構成により、一方のコネクタハウジング３と他方のコネクタハウジング５とを合体させるには、他方のコネクタハウジング５に設けられている上下の取付けアーム２５、２５を本体側コネクタハウジング３の上下の嵌合凹部１９に嵌合させると共に、取付けアーム２５、２５の係合部２７に嵌合凹部１９の係合突起２１を係合させて結合させておく。この状態では、一方のコネクタハウジング３のボルト収納筒１１と他方のコネクタハウジング５の枠体２３とが、略同軸に重なり合っている。
そして、結合された多極コネクタ１の重なり合っているボルト収納筒１１と枠体２３とに、相手側多極コネクタ７のボルトガイド９を挿通せしめ、このボルトガイド９の挿通により枠体２３とボルト収納筒１１とが調芯されて位置決めされて、一方のコネクタハウジング３と他方のコネクタハウジング５とが合体される。同時に、多極コネクタ１のボルト１５と相手側コネクタ７のボルトガイド９内に形成されたナット８とにより螺合されて、多極コネクタ１と相手側多極コネクタ７とを結合する。
【００１３】
以上の結果から、多極コネクタ１と相手側多極コネクタ７とを結合する際に、相手側多極コネクタ７のボルトガイド９により多極コネクタ１の一方のコネクタハウジング３と他方のコネクタハウジング５の調芯が行なわれるので、図５に示されているように、ナット８の中心ＣＬからそれぞれ寸法Ａ１、Ａ２を追うことができる。このため、キャビティ１７の公差はＡ１、Ａ２の公差と等しくなり、他方のコネクタハウジング５についても累積誤差が生じるのを防止することができる。
【００１４】
なお、この発明は前述の発明の実施の形態に限定されることなく、適宜な変更を行うことにより、その他の態様でも実施可能である。すなわち、前述の発明の実施の形態においては、一方のコネクタハウジング３に設けられているボルト収納筒１１と同軸で重なり合う枠体２３を他方のコネクタハウジング５に突設したが、図６〜図８に示されている多極コネクタ２９のように、他方のコネクタハウジング３１の一部に枠体３３を設けるようにしても良い。
他方のコネクタハウジング３１の枠体３３の上方側面には一方のコネクタハウジング３７と結合するためのガイドレール３５が設けられており、一方のコネクタハウジング３７のボルト収容室上方側面にはレール溝３６が設けられて、これらガイドレール３５とレール溝３６とが矢印で示されるように上下でスライド結合することにより、一方のコネクタハウジング３７と他方のコネクタハウジング３１とが結合される。この結果、一方のコネクタハウジング３７のボルト収納筒１１と他方のコネクタハウジング３１の枠体３３とが同軸で重なり合わせられることとなる。この場合にも、先に説明した場合と同様の効果を得ることができる。なお、先に示した実施の形態と共通する部位には同じ符号を付して、重複する説明は省略する。
【００１５】
また、前述の発明の実施の形態においては、多極コネクタ１、２９の一方のコネクタハウジング３、３７に対して、他方のコネクタハウジング５、３１を合体する場合について説明したが、一方のコネクタハウジング３、３７に、２個以上の他方のコネクタハウジングを合体させることも可能である。この場合には、２個以上の他方のコネクタハウジングにはそれぞれ枠体が形成されており、全ての枠体が一方のコネクタハウジングのボルト収納筒と同軸で重なり合うように構成されている。
【００１６】
【発明の効果】
以上説明したように、この発明に係る多極コネクタの合体方法および多極コネクタでは、多極コネクタと相手側多極コネクタとの嵌合と、一方のコネクタハウジングと他方のコネクタハウジングの芯出しを同時に行なうことができる。また、一方のコネクタハウジングの芯出し同様に、他方のコネクタハウジングの芯出しもボルトをナットを基準として行なわれるので、誤差の累積を防止して、誤差を最小限に押えることができる。
【図面の簡単な説明】
【図１】本発明に係る多極コネクタを示す斜視図である。
【図２】図１において、II方向から見た正面図である。
【図３】図１において、III方向から見た平面図である。
【図４】相手側多極コネクタのボルトガイドと多極コネクタの要部を示す斜視図である。
【図５】ナットを基準としたピッチの説明図である。
【図６】本発明に係る多極コネクタの別な実施の形態を示す斜視図である。
【図７】図６において、VII方向から見た正面図である。
【図８】図６において、VIII方向から見た平面図である。
【図９】従来の多極コネクタの分解斜視図である。
【図１０】従来の多極コネクタの合体した斜視図である。
【図１１】従来の相手側多極コネクタ示す斜視図である。
【図１２】図１０において、ＩＸ方向から見た正面図であり、ピッチを示す説明図である。
【符号の説明】
１  多極コネクタ
３  一方のコネクタハウジング
５  他方のコネクタハウジング
７  相手側多極コネクタ
８  ナット
９  ボルトガイド
１１  ボルト収納筒
１５  ボルト
【図１】
0003851520.tif 000002
【図２】
0003851520.tif 000003
【図３】
0003851520.tif 000004
【図４】
0003851520.tif 000005
【図５】
0003851520.tif 000006
【図６】
0003851520.tif 000007
【図７】
0003851520.tif 000008
【図８】
0003851520.tif 000009
【図９】
0003851520.tif 000010
【図１０】
0003851520.tif 000011
【図１１】
0003851520.tif 000012
【図１２】
0003851520.tif 000013